(57)【要約】【課題】インキの転写量を考慮して用紙の乾燥時に消費するエネルギーを低減できる乾燥制御システム等を提供する。【解決手段】乾燥制御システム１は、オフセット輪転機１００における印刷後の用紙１０の乾燥を制御するためのものである。乾燥制御システム１は、用紙１０に熱風を吹き付ける吹付部３１ａの用紙幅方向の各部分の開閉を、用紙１０の用紙幅方向の各部分へのインキ転写量の大小を示すインキ量情報であるインキキーの開度に基づいて制御する制御装置１１を具備する。【選択図】図２
2015066871.tif 000002
【特許請求の範囲】
【請求項１】
印刷機における印刷後の用紙の乾燥を制御するための乾燥制御システムであって、
前記用紙に熱風を吹き付ける吹付部の用紙幅方向の各部分の開閉を、前記用紙の用紙幅方向の各部分へのインキ転写量の大小を示すインキ量情報に基づいて制御する制御装置を具備することを特徴とする乾燥制御システム。
【請求項２】
前記制御装置は、前記インキ量情報に基づいてカバーを移動させることで、前記吹付部の開閉を行うことを特徴とする請求項１記載の乾燥制御システム。
【請求項３】
前記印刷機はオフセット輪転機であり、
前記インキ量情報は、前記用紙に印刷を行うための版胴へのインキ供給量を調整するインキキーの開度であることを特徴とする請求項１または請求項２に記載の乾燥制御システム。
【請求項４】
印刷機における印刷後の用紙の乾燥を制御するための乾燥制御方法であって、
制御装置が、前記用紙に熱風を吹き付ける吹付部の用紙幅方向の各部分の開閉を、前記用紙の用紙幅方向の各部分へのインキ転写量の大小を示すインキ量情報に基づいて制御することを特徴とする乾燥制御方法。
【請求項５】
印刷後の用紙を乾燥するための乾燥機であって、
前記用紙に熱風を吹き付ける吹付部の用紙幅方向の各部分の開閉を、前記用紙の用紙幅方向の各部分へのインキ転写量の大小を示すインキ量情報に基づいて制御する制御装置を具備することを特徴とする乾燥機。
【発明の詳細な説明】
【技術分野】
【０００１】
本発明は、オフセット輪転機などの乾燥部において乾燥制御を行う乾燥制御システム等に関する。
【背景技術】
【０００２】
オフセット輪転機では、印刷部で印刷を行うことによりインキを用紙に転写し、印刷後の用紙を乾燥部に通して乾燥させている。乾燥部では、熱風を印刷物の幅方向に一様に吹き付ける。
【０００３】
用紙の乾燥には大量のエネルギーを消費することから、近年省エネルギーへの取り組みが行われ出しており、特許文献１には、廃熱回収器を備えた一体型熱交換ユニットを設けたドライヤーが記載されており、特許文献２には、乾燥部を含めた印刷機の消費エネルギーの管理を行うシステムが記載されている。
【先行技術文献】
【特許文献】
【０００４】
【特許文献１】特表２０１２−５０７６８９号公報
【特許文献２】特開２０１１−２０７０４５号公報
【発明の概要】
【発明が解決しようとする課題】
【０００５】
印刷物には、通常絵柄や文字等が形成されており、幅方向でインキの転写量にはムラがある。しかしながら、従来は幅方向に一様に熱風を吹き付けて乾燥を行っており、インキ転写量が少ない部分に関して過剰に熱を投入することでエネルギーを無駄に消費している欠点があった。特許文献１、２は省エネルギーの実現を目的としたものであるが、このような点に着目したものではなかった。
【０００６】
本発明は、前述した問題点に鑑みてなされたもので、インキの転写量を考慮して用紙の乾燥時に消費するエネルギーを低減できる乾燥制御システム等を提供することを目的とする。
【課題を解決するための手段】
【０００７】
前述した目的を達成するための第１の発明は、印刷機における印刷後の用紙の乾燥を制御するための乾燥制御システムであって、前記用紙に熱風を吹き付ける吹付部の用紙幅方向の各部分の開閉を、前記用紙の用紙幅方向の各部分へのインキ転写量の大小を示すインキ量情報に基づいて制御する制御装置を具備することを特徴とする乾燥制御システムである。
【０００８】
第１の発明によれば、熱風の吹付部の開閉をインキ量情報に基づいて制御し、インキ転写量の少ない部分を閉じ、インキ転写量の大きい部分を開く等することで、用紙全体に熱風を吹き付ける場合に比べ、少ないエネルギーの投入量でより大きな風速の熱風をインキ転写量の多い部分に集中して吹き付けることができる。これにより、用紙の乾燥効率が向上し、省エネルギーが実現できる。また、インキ転写量の多い部分に熱風を集中させることで、乾燥不良によるコスレ等を防止できる。
【０００９】
前記制御装置は、前記インキ量情報に基づいてカバーを移動させることで、前記吹付部の開閉を行うことが望ましい。
これにより、簡易な構成で吹付部の開閉制御ができる。
【００１０】
前記印刷機はオフセット輪転機であり、前記インキ量情報は、前記用紙に印刷を行うための版胴へのインキ供給量を調整するインキキーの開度であることが望ましい。
これにより、インキ量情報として正確な情報が得られ、乾燥制御の精度が高まる。
【００１１】
第２の発明は、印刷機における印刷後の用紙の乾燥を制御するための乾燥制御方法であって、制御装置が、前記用紙に熱風を吹き付ける吹付部の用紙幅方向の各部分の開閉を、前記用紙の用紙幅方向の各部分へのインキ転写量の大小を示すインキ量情報に基づいて制御することを特徴とする乾燥制御方法である。
【００１２】
第３の発明は、印刷後の用紙を乾燥するための乾燥機であって、前記用紙に熱風を吹き付ける吹付部の用紙幅方向の各部分の開閉を、前記用紙の用紙幅方向の各部分へのインキ転写量の大小を示すインキ量情報に基づいて制御する制御装置を具備することを特徴とする乾燥機である。
【発明の効果】
【００１３】
本発明により、インキの転写量を考慮して用紙の乾燥時に消費するエネルギーを低減できる乾燥制御システム等を提供することができる。
【図面の簡単な説明】
【００１４】
【図１】オフセット輪転機１００の一部を示す図
【図２】乾燥制御システム１を示す図
【図３】乾燥制御方法の手順を示すフローチャート
【図４】ノズル３１の吹付部３１ａの開閉を示す図
【図５】ノズル３１の吹付部３１ａの開閉を示す図
【発明を実施するための形態】
【００１５】
以下、図面に基づいて、本発明の実施形態を詳細に説明する。
【００１６】
（１．乾燥制御システム１）
本発明の実施形態に係る乾燥制御システムは、図１にその一部を示すオフセット輪転機１００（印刷機）の乾燥部３０に設けられる。オフセット輪転機１００は、ウェブ状の用紙１０を給紙部（不図示）から供給して搬送し、印刷部２０で印刷を施し、乾燥部３０（乾燥機）で印刷後の用紙１０を乾燥した後、冷却部（不図示）で冷却し、折機部（不図示）にて用紙１０の断裁や折りなどの加工を行うものである。
【００１７】
印刷部２０では、印刷絵柄に応じたドット状の凹部が形成された版胴２１にインキを供給し、圧胴２２によって用紙１０を版胴２１に押し付けることで、版胴２１の凹部のインキが用紙１０に転写され、印刷が行われる。印刷部２０では、このような版胴２１が印刷を行う色の数だけ設けられ（図の例では４つ）、各版胴２１によって各色の印刷絵柄の印刷が行われる。
【００１８】
乾燥部３０では、印刷後の用紙１０の乾燥を行い、インキ中の溶剤等の水分を気化させる。用紙１０の乾燥は、ダクトを介してノズル３１から熱風を吹き付けることにより行われる。ノズル３１は、用紙１０の上下で用紙１０の搬送方向に沿って複数配置される。
【００１９】
本実施形態の乾燥制御システムは、上記のような乾燥部３０における用紙１０の乾燥を制御するものであり、図２に示すように、制御装置１１、表示装置１２、ノズルカバー１３、ノズルカバー開閉装置１４等を有する。
【００２０】
制御装置１１は、用紙１０の搬送方向と直交する用紙幅方向に沿った各部分へのインキの転写量の大小を示すインキ量情報に基づき、各ノズル３１の熱風の吹付部３１ａの開閉の制御を行うものである。なお、図では１つのノズル３１を代表して示す。制御装置１１としては、例えばＰＬＣ（programmable logic controller）が用いられる。
【００２１】
本実施形態では、制御装置１１が印刷部２０と接続されており、上記のインキ量情報として、印刷部２０におけるインキキーの開度を取得する。インキキーは版胴２１ごとに設けられ、版胴２１へのインキ供給量を調整するものである。インキキーの開度を増減することでインキ供給量が増減し、インキキーの開度が大きい程版胴２１へのインキ供給量は多くなる。結果、用紙１０へのインキの転写量も大きくなる。
【００２２】
インキキーは用紙幅方向に沿って複数設けられ、各インキキーの開度を調整することで、版胴２１の用紙幅方向の各部分へのインキ供給量が増減し、ひいては用紙１０の用紙幅方向の各部分へのインキ転写量が増減する。
【００２３】
ノズルカバー１３はノズル３１に設けられる。ノズル３１は用紙幅方向に長いスリット状の吹付部３１ａを有しており、ノズルカバー１３は吹付部３１ａの用紙幅方向に沿って複数設けられる。各ノズルカバー１３はノズルカバー開閉装置１４に接続される。
【００２４】
ノズルカバー開閉装置１４は、ボールねじ１４１、ロッド１４２、モータ１４３等により構成される。ロッド１４２の一端はノズルカバー１３に接続され、他端がボールねじ１４１のナット１４１ｂに接続される。ナット１４１ｂはボールねじ１４１のねじ軸１４１ａに螺合されており、ねじ軸１４１ａの端部がモータ１４３に接続される。モータ１４３は制御装置１１の制御により上記のねじ軸１４１ａを正逆回転させる。これによりナット１４１ｂがねじ軸１４１ａに沿って前後移動し、ロッド１４２に取り付けたノズルカバー１３が移動して吹付部３１ａの用紙幅方向の各部分の開閉を行う。
【００２５】
表示装置１２は、液晶モニター等であり、制御装置１１と接続され、吹付部３１ａの各部分の開閉状態等の表示を行う。また各種の操作指示を入力するためのスイッチやボタン（不図示）を有する。
【００２６】
（２．乾燥制御方法）
次に、乾燥制御システム１による乾燥部３０での乾燥制御方法について図３を参照して説明する。図３は乾燥制御方法の手順について示すフローチャートであり、図の各ステップは制御装置１１により実行される。
【００２７】
本実施形態では、オフセット輪転機１００を稼働し、印刷部２０での用紙１０への印刷や乾燥部３０での用紙１０の乾燥等を開始すると、制御装置１１が、インキ量情報として、印刷部２０から用紙幅方向の各インキキーの開度を取得する（Ｓ１）。
【００２８】
そして、制御装置１１は、各インキキーの開度に応じて、用紙幅方向において各インキキーと対応する部分にあるノズルカバー１３を移動させ、ノズル３１の吹付部３１ａの用紙幅方向の各部分の開閉制御を行う（Ｓ２）。
【００２９】
Ｓ２では、例えば、ノズルカバー１３と用紙幅方向において対応する位置にある各色のインキキーの開度の合計を算出し、その値が所定値以上であれば、そのノズルカバー１３を移動させ吹付部３１ａを開く。一方、所定値未満であればノズルカバー１３により吹付部３１ａを閉じるように制御する。ただし、開閉の制御方法はこれに限ることはない。例えば、インキキーの開度に応じて、吹付部３１ａの用紙幅方向の各部分を半開きにしたりするなど、より細かい開口面積の調整を行うことも可能である。
【００３０】
こうして各ノズルカバー１３の制御を行い対応する吹付部３１ａを開閉を行う。例えば用紙幅方向の中央部のインキ転写量が多い場合、図４に示すようにノズル３１の吹付部３１ａの用紙幅方向の中央部は開くようにし、用紙幅方向の端部のインキ転写量が多い場合には、図５に示すように、ノズル３１の吹付部３１ａの用紙幅方向の端部を開くようにする。なお、図４、５の矢印Ａは印刷後の用紙１０の搬送経路を示す。また、本実施形態では乾燥部３０の入側（図の左側）ではノズル３１の吹付部３１ａを全て開いており、これによって、インキ転写量が少ない箇所でも必要最低限の熱風が吹き付けられるようにしている。
【００３１】
以上説明したように、本実施形態の乾燥制御システム１によれば、熱風の吹付部３１ａの開閉をインキ量情報に基づいて制御し、インキ転写量の少ない部分を閉じ、インキ転写量の大きい部分を開く等することで、用紙全体に熱風を吹き付ける場合に比べ、少ないエネルギーの投入量でより大きな風速の熱風をインキ転写量の多い部分に集中して吹き付けることができる。これにより、用紙１０の乾燥効率が向上し、省エネルギーが実現できる。また、インキ転写量の大きい部分に熱風を集中させることで、乾燥不良によるコスレ等を防止できる。
【００３２】
また本実施形態では、前記したようにノズルカバー１３を移動させ吹付部３１ａの開閉を行うので、簡易な構成で吹付部３１ａの開閉制御ができる。ただし、吹付部３１ａの開閉を行うための構成は図２等で説明したものに限らず、様々な構成が可能である。
【００３３】
また本実施形態では、オフセット輪転機１００における印刷部２０のインキキーの開度をインキ量情報として用いるので、インキの転写量を示す正確なインキ量情報が得られる。しかしながら、インキ量情報としてはこれに限らない。例えば、版胴２１に印刷絵柄を形成するための製版データからインキ転写量の大小をインキ量情報として取得することもできる。この場合、濃色の絵柄の形成部分でインキ転写量が大きく、淡色の絵柄の形成部分でインキ転写量が小さくなる。
【００３４】
また、本実施形態の乾燥制御システム１はオフセット輪転機１００の乾燥部３０に適用する例を示したが、これに限ることはなく、例えばグラビア印刷機にも印刷後の用紙に熱風を吹き付けて乾燥する乾燥部が設けられるので、本実施形態と同様の方法により熱風の吹付部の開閉を制御することができる。
【００３５】
以上、添付図面を参照しながら、本発明の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００３６】
１；乾燥制御システム
１０；用紙
１１；制御装置
１２；表示装置
１３；ノズルカバー
１４；ノズルカバー開閉装置
２０；印刷部
３０；乾燥部
３１；ノズル
３１ａ；吹付部
【図１】
2015066871.tif 000003
【図２】
2015066871.tif 000004
【図３】
2015066871.tif 000005
【図４】
2015066871.tif 000006
【図５】
2015066871.tif 000007